(57)【要約】【課題】  本発明は、管理情報を記録することができる３次元光記録媒体およびこの３次元光記録媒体を備える光ディスクカートリッジを提供する【解決手段】  本発明の３次元光記録媒体ＯＭは、管理情報の記録手段であるバーコード１５やＲＦＩＤタグ１６が設けられていることを特徴とする。ここでの管理情報とは、３次元光記録媒体ＯＭの製品情報や、３次元光記録媒体ＯＭに記録された光情報のインデックスのような、ユーザが３次元光記録媒体ＯＭの管理に有用な全ての情報をいう。  この３次元光記録媒体ＯＭによれば、ユーザは、記録手段から読み出した管理情報に基づいて３次元光記録媒体ＯＭを管理することができる。【選択図】      図２
2006318516.tif 000002
【特許請求の範囲】
【請求項１】
３次元光記録媒体の管理情報の記録手段が設けられていることを特徴とする３次元光記録媒体。
【請求項２】
前記管理情報が光学的に読取り可能に記録される記録手段、および電磁気的に読取り可能に記録される記録手段の少なくともいずれかを備えることを特徴とする請求項１に記載の３次元光記録媒体。
【請求項３】
請求項１または請求項２に記載の３次元光記録媒体がカートリッジケースに収納された光ディスクカートリッジであって、前記３次元光記録媒体の管理情報の記録手段が前記カートリッジケースに設けられていることを特徴とする光ディスクカートリッジ。
【発明の詳細な説明】
【技術分野】
【０００１】
本発明は、例えば、２光子吸収メモリやホログラムメモリ等の３次元光記録媒体およびこの３次元光記録媒体を備えた光ディスクカートリッジに関する。
【背景技術】
【０００２】
近年、記録される情報の高容量化が図られた３次元光記録媒体が注目されている。この３次元光記録媒体は、例えばＣＤやＤＶＤのように媒体の面方向にのみ情報が記録される２次元光記録媒体と異なって媒体の厚み方向にも情報が記録される。
【０００３】
この３次元光記録媒体の記録方式としては、光情報記録層にホログラフィ（干渉）を用いて情報を記録する方式や、光情報記録層に２光子吸収材料を用いる方式が知られている（例えば、特許文献１参照）。このような３次元光記録媒体は、高記録容量を発揮することができることから業務仕様のアーカイブ用記録媒体として好適である。
【特許文献１】特開２００１−００５３６８号公報（段落００１３から段落００２３）
【発明の開示】
【発明が解決しようとする課題】
【０００４】
ところが、業務仕様の３次元光記録媒体は、使用時における媒体自体の信頼性が重要となる。そのため、個々の３次元光記録媒体には、例えば製造ロットや部品ロットのような製品情報がユーザに利用可能な管理情報として記録されていることが望ましい。また、アーカイブを行ったファイルの内容を媒体の管理情報として記録することができる３次元光記録媒体は、個々のファイルを管理する上で有用である。
【０００５】
そこで、本発明は、管理情報を記録することができる３次元光記録媒体およびこの３次元光記録媒体を備える光ディスクカートリッジを提供することを目的とする。
【課題を解決するための手段】
【０００６】
前記課題を解決するための本発明は、３次元光記録媒体の管理情報の記録手段が設けられていることを特徴とする３次元光記録媒体である。ここでの「管理情報」とは、３次元光記録媒体の製品情報（生産管理情報）や、３次元光記録媒体に記録された光情報のインデックス、ユーザの識別情報、記録される光情報に係る暗号化情報のような、ユーザが３次元光記録媒体の管理に有用な全ての情報をいう。
この３次元光記録媒体によれば、ユーザは、記録手段から読み出した管理情報に基づいて３次元光記録媒体を管理することができる。
【０００７】
また、このような３次元光記録媒体においては、前記管理情報が光学的に読取り可能に記録される記録手段、および前記管理情報が電磁気的に読取り可能に記録される記録手段の少なくともいずれかを備えるものであってもよい。管理情報が光学的に読取り可能に記録される記録手段としては、例えば、印字やバーコードが挙げられ、管理情報が電磁気的に読取り可能に記録される記録手段としては、例えば、ＲＦＩＤ（Radio Frequency IDentification）タグ、磁気記録媒体等が挙げられる。
【０００８】
また、このような３次元光記録媒体は、ディスク状やカード状であってもよい。そして、このような３次元光記録媒体においては、管理情報の記録領域が３次元光記録媒体の縁部に設定されているものが望ましい。この３次元光記録媒体は、縁部以外の広い領域に光情報の記録領域を設定することができるので光情報の記録容量を高めることができる。また、ディスク状の３次元光記録媒体においては、３次元光記録媒体の記録再生装置に装着するためのセンタ孔を有していてもよい。このような３次元光記録媒体での管理情報の記録領域は、センタ孔の周囲（内側の縁部）に設定されていてもよい。
【０００９】
また、本発明は、このような３次元光記録媒体がカートリッジケースに収納された光ディスクカートリッジであって、前記３次元光記録媒体の管理情報の記録手段が前記カートリッジケースに設けられていることを特徴とする。
この光ディスクカートリッジによれば、ユーザは、カートリッジケースの記録手段から読み出した管理情報に基づいて３次元光記録媒体を管理することができる。また、このような光ディスクカートリッジにおいて、前記カートリッジケースは、遮光性を有するものが望ましい。
【発明の効果】
【００１０】
本発明の３次元光記録媒体および光ディスクカートリッジによれば、読み出した管理情報に基づいて３次元光記録媒体を管理することができる。また、この３次元光記録媒体は、３次元光記録媒体の製品情報や、３次元光記録媒体に記録された光情報のインデックスのような、ユーザが３次元光記録媒体の管理に有用な管理情報を記録手段に記録することができるので、３次元光記録媒体の使用時における信頼性が高められるとともに、３次元光記録媒体に記録された光情報の管理が容易になる。
【発明を実施するための最良の形態】
【００１１】
次に、本発明の実施形態について適宜図面を参照しながら詳細に説明する。図１は、実施形態に係る光ディスクカートリッジの外観斜視図であり、図１（ａ）は、光ディスクカートリッジの上面側を示す図、図１（ｂ）は、光ディスクカートリッジの下面側を示す図である。図２（ａ）は、実施形態に係る３次元光記録媒体の外観斜視図、図２（ｂ）は、図２（ａ）中のＸ部の拡大図、図３は、遮光カートリッジケースにＲＦＩＤタグが配置された様子を示す部分斜視図である。なお、本実施形態においては、３次元光記録媒体の一例としてのホログラフィ（干渉）を用いて光情報を記録するものについて説明する。
【００１２】
図１（ａ）および図１（ｂ）に示すように、光ディスクカートリッジＤＣは、３次元光記録媒体ＯＭ（以下、単に「光記録媒体ＯＭ」という）と、この光記録媒体ＯＭを収納する遮光カートリッジケース３とを備えている。なお、遮光カートリッジケース３は、特許請求の範囲に言う「カートリッジケース」に相当する。
【００１３】
光記録媒体ＯＭは、図２（ａ）に示すように、ディスク状であって、その中央部には後記する記録再生装置ＲＷ（図４参照）側の駆動軸１９（図４参照）にこの光記録媒体ＯＭを嵌め入れるためのセンタ孔Ｈが形成されている。この光記録媒体ＯＭは、一対の光透過性基板１０ａ，１０ｂと、光情報記録層１２とを備えている。
【００１４】
光透過性基板１０ａ，１０ｂは、図２（ａ）に示すように、センタ孔Ｈに対応する孔部を中央に有するディスク状の部材であって、光情報記録層１２を挟持するように配置されている。この光透過性基板１０ａ，１０ｂの厚みは、それぞれ０．１〜０．６ｍｍに設定されている。
【００１５】
光透過性基板１０ａには、外周縁に沿うように光記録媒体ＯＭの管理情報の記録領域１４ａが設定されており、内周縁に沿うように光記録媒体ＯＭの管理情報の記録領域１４ｂが設定されている。光記録媒体ＯＭの管理情報としては、例えば、個々の光記録媒体ＯＭの製造ロットや、光記録媒体ＯＭを構成する部品の部品ロットの製造情報、光記録媒体ＯＭの記録内容に係る情報、光記録媒体ＯＭの使用状況、光記録媒体ＯＭに記録された光情報のインデックス、光記録媒体ＯＭに対する光情報の記録再生履歴、光記録媒体ＯＭに対する光情報の記録再生の条件等の、ユーザが光記録媒体ＯＭの管理に有用な全ての情報が挙げられる。そして、この光記録媒体ＯＭでは、管理情報が記録領域１４ａに印刷されたバーコード１５に記録されるとともに、記録領域１４ｂに貼付されたＲＦＩＤタグ１６に記録されるようになっている。なお、バーコード１５およびＲＦＩＤタグ１６は、特許請求の範囲にいう「記録手段」に相当する。ＲＦＩＤタグ１６は、公知の構造を有するものでよく、図２（ｂ）に示すように、全体が略矩形の薄片形状を呈しているものを使用することができる。このＲＦＩＤタグ１６は、樹脂からなる封止剤であるグローブトップ１６ａの中に封入された図示しないＩＣチップ（集積回路）をその本体とし、このＩＣチップが基板１６ｂの上にプリントされたループアンテナ１６ｃに配線されて構成されている。また、ループアンテナ１６ｃは、導線が基板１６ｂの外縁に沿って複数回巻かれることで略矩形の形状となっている。そして、このＲＦＩＤタグ１６では、光記録媒体ＯＭの後記する記録再生装置ＲＷの送受信部１８（図４参照）との間で信号（本実施形態では管理情報の信号）のやり取りがループアンテナ１６ｃを介して行われるようになっており、管理情報は前記したＩＣチップに読出し可能に記録される。
【００１６】
光透過性基板１０ａ，１０ｂの材料としては、例えば、ガラス等の無機物や、ポリカーボネート、トリアセチルセルロース、シクロオレフィンポリマ、ポリエチレンテレフタレート、ポリフェニレンスルフィド、アクリル樹脂、メタクリル樹脂、ポリスチレン樹脂、塩化ビニル樹脂、エポキシ樹脂、ポリエステル樹脂、アモルファスポリオレフィン等の樹脂が挙げられる。中でも、ガラス、ポリカーボネート、およびトリアセチルセルロースは、複屈折が小さいので好ましい。なお、光透過性基板１０ａ，１０ｂのそれぞれは、同一の材料で形成されていても、あるいは異なる材料で形成されていてもよい。また、光透過性基板１０ａ，１０ｂの表面には、反射防止コーティングや、酸素透過防止コーティング、水分透過防止コーティング、ＵＶカットコーティング等が必要に応じて施されていてもよい。
【００１７】
光情報記録層１２は、図２（ａ）に示すように、センタ孔Ｈに対応する孔部を中央に有するディスク状の部材であって、光透過性基板１０ａ，１０ｂの間に配置されている。この光情報記録層１２は、光が照射されることによって光情報が記録される層であって、厚みが０．５〜２．０ｍｍ、好ましくは１．０〜２．０ｍｍに設定された光重合性樹脂組成物（フォトポリマ媒体形成材料）で形成されている。この光重合性樹脂組成物は、重合性モノマと、増感色素と、重合開始剤と、バインダとを含有している。
【００１８】
重合性モノマとしては、重合性基があれば特に限定はなく、例えば、ラジカル重合性モノマ、カチオン重合性モノマ、これらのモノマを併用したものが挙げられ、具体的には、エポキシ基、エチレン性不飽和基等の重合性基を含む化合物が挙げられる。重合性モノマは、これらの重合性基を分子内に１つ以上含んでいればよく、分子内に２つ以上の重合性基を含む重合性モノマは、それらの重合性基が異なるものでもよいし、同じものでもよい。
【００１９】
増感色素としては、後記する記録光（参照光）の波長に吸収ピークを有するものであれば特に制限はないが、記録光（参照光）の波長における色素自体の光吸収係数εが低いものが好ましい。増感色素の具体例としては、シアン系、メロシアン系、フタロシアン系、アゾ系、アゾメチン系、インドアニリン系、キサンテン系、クマリン系、ポリメチン系、ジアリルエテン系、フルギドフルオラン系、アントラキノン系、スチリル系等の公知の有機色素が挙げられる。
【００２０】
重合開始剤としては、ラジカル発生剤、カチオン発生剤、酸発生剤等が挙げられる。
【００２１】
バインダとしては、例えば、塩素化ポリエチレン、ポリメチルメタクリレート、メチルメタクリレートと他の（メタ）アクリル酸アルキルエステルの共重合体、塩化ビニルとアクリロニトリルの共重合体、ポリ酢酸ビニル、ポリビニルアルコール、ポリビニルホルマール、ポリビニルブチラール、ポリビニルピロリドン、エチルセルロース、アセチルセルロース、ポリカーボネート等が挙げられる。なお、バインダの屈折率は、重合性モノマの重合物の屈折率との差ができるだけ大きなものが好ましい。
【００２２】
また、光重合性樹脂組成物には、必要に応じて、増感剤、光学的増白剤、紫外線吸収剤、熱安定剤、連鎖移動剤、可塑剤、着色剤等のこの種の光記録媒体の光情報記録層の形成に常用されるものを含んでいてもよい。
【００２３】
また、光情報記録層１２の材料には、ホログラムで光情報が記録される公知の光記録媒体に使用される他の材料を使用することができる。このような他の材料としては、例えば、ハロゲン化銀や重クロム酸ゼラチン、フォトリフラクティブ材料、フォトクロミック材料等が挙げられる。また、光情報記録層１２の材料としては、例えば、色素の発色や消色に伴う屈折率変化を生じるものを用いることができる。このような光情報記録層１２の材料は、適宜に組み合わせて使用することもでき、例えば、前記した光重合性樹脂組成物に光の照射によって発色または消色する色素を含むもの、前記した光重合性樹脂組成物にフォトリフラクティブ材料を含むものであってもよい。
なお、光情報記録層１２は、記録方式に応じて光重合性樹脂組成物に代えて熱重合性樹脂組成物（熱硬化性樹脂組成物）で形成されたものであってもよい。
【００２４】
次に、遮光カートリッジケース３について説明する。遮光カートリッジケース３は、図１（ａ）に示すように、上ハーフ４ａと、下ハーフ４ｂとを接合して形成された筐体であって、光記録媒体ＯＭを外部に臨ませる開口部５を有している。開口部５は、図１（ａ）および図１（ｂ）に示すように、上ハーフ４ａと下ハーフ４ｂとに跨って形成されており、遮光カートリッジケース３の上面側および下面側のそれぞれで図２（ａ）に示す光記録媒体ＯＭの一部（記録領域１４ａ，１４ｂを含む）およびセンタ孔Ｈを露出させることができるように形成されている。
【００２５】
この開口部５には、スライドシャッタ６が装着されている。このスライドシャッタ６は、コの字状に屈曲した遮光性を有する板体であって、図示しないバネ等によって開口部５を閉じる方向に付勢されている。このスライドシャッタ６は、光ディスクカートリッジＤＣが後記する記録再生装置ＲＷ（図４参照）に装填された際に、記録再生装置ＲＷ側に設けられた図示しない駆動機構によって開口部５が開く方向、つまりバネ等による付勢力に抗してスライドするようになっている。
【００２６】
このような遮光カートリッジケース３は、図３に示すように、その内側の角部にＲＦＩＤタグ１６を有している。このＲＦＩＤタグ１６は、光記録媒体ＯＭの前記した管理情報を記録するものであり、特許請求の範囲にいう「記録手段」に相当する。なお、このＲＦＩＤタグ１６は、基板１６ｂ上にループアンテナ１６ｃとグローブトップ１６ａ中に埋設された図示しないＩＣチップとを有しており、前記した光透過性基板１０ａのＲＦＩＤタグ１６（図２（ｂ）参照）と同様のものを使用することができる。この遮光カートリッジケース３のＲＦＩＤタグ１６に記録される管理情報は、光記録媒体ＯＭのＲＦＩＤタグ１６に記録される管理情報と同一であっても異なっていてもよい。
【００２７】
このような遮光カートリッジケース３は、紫外線および可視光線の透過率が１％以下、好ましくは透過率が０．０１〜０．５％の遮光材料で形成されている。そして、上ハーフ４ａ、下ハーフ４ｂおよびスライドシャッタ６は、同一の遮光材料で形成されていてもよいし、異なる遮光材料で形成されていてもよい。
【００２８】
遮光カートリッジケース３に使用される遮光材料としては、例えば金属、プラスチック、ガラス等が挙げられる。また、プラスチックやガラスを用いる場合には、遮光性を向上させるために、色素や顔料を含有させることができる。
【００２９】
次に、このような光ディスクカートリッジＤＣの使用方法について説明する。まず、使用方法の説明に先立って、この光ディスクカートリッジＤＣの記録再生装置について簡単に説明する。図４は、光ディスクカートリッジＤＣの記録再生装置の構成を示す模式図である。
【００３０】
図４に示すように、光ディスクカートリッジＤＣの記録再生装置ＲＷは、光記録媒体ＯＭを回動させる駆動軸１９と、光ディスクカートリッジＤＣに配置されたＲＦＩＤタグ１６と非接触で通信を行う送受信部１８と、光ディスクカートリッジＤＣに形成されたバーコード１５を読み取るバーコード読取り部１７と、光記録媒体ＯＭに対して光情報の記録再生を行う光学系３０とを備えている。
【００３１】
送受信部１８は、アンテナ１８ａを介してＲＦＩＤタグ１６のループアンテナ１６ｃ（図２（ｂ）参照）との間で信号のやり取りを行うとともに、本体部１８ｂがその信号に基づいてＲＦＩＤタグ１６に記録された管理情報の内容を取得するように構成されている。ちなみに本体部１８ｂは、公知のＲＦＩＤシステムに使用されるものと同様のものでよく、例えば、インタフェース、ＣＰＵ、メモリ等で構成することができる。
【００３２】
バーコード読取り部１７は、バーコード読取りセンサ１７ａで読み取ったバーコード検出信号に基づいて、バーコード読取りセンサ１７ａに電気的に接続される本体部１７ｂがバーコード１５に記録された管理情報の内容を取得するように構成されている。ちなみに本体部１７ｂは、公知のバーコード読取りシステムに使用されるものと同様のものでよく、例えば、インタフェース、ＣＰＵ、メモリ等で構成することができる。
【００３３】
光学系３０は、ＹＡＧレーザ光源３１からのＹＡＧレーザ光（波長：５３２ｎｍ）を、ビームエキスパンダ３２、ビームスプリッタ３３、空間変調素子４０、およびフーリエ変換レンズ３４を介して通過させることによって記録光Ｌ１として光記録媒体ＯＭの表面に照射するように構成されている。また、この光学系３０は、ＹＡＧレーザ光をビームスプリッタ３３で分離するとともに、分離したＹＡＧレーザ光を、ミラー３７、ミラー３８、およびフーリエ変換レンズ３４を介して参照光Ｌ２として記録光Ｌ１に合わせ込むようになっている。その結果、この記録再生装置ＲＷでは、干渉縞が光記録媒体ＯＭ（光情報記録層１２）に形成されることによって光情報がホログラム記録される。つまり、干渉縞明部では、光重合性樹脂組成物中の重合性モノマが重合することによってフォトポリマが形成され、干渉縞暗部では、光重合性樹脂組成物中の重合性モノマが干渉縞明部に移動する。その結果、干渉縞明部がポリマリッチになるとともに、干渉縞暗部がバインダリッチとなることによって、光情報は、屈折率差や光透過率の差となって現われる干渉縞として光情報記録層１２内に記録される。
【００３４】
また、この記録再生装置ＲＷでは、光記録媒体ＯＭに対する参照光Ｌ２の入射角度がミラー３８の反射角度の調節および光学系３０の移動によって変更できるようになっており、光情報が角度多重方式によって記録される。ちなみに、本実施形態では、記録光Ｌ１の光記録媒体ＯＭの表面でのスポット径は１ｍｍφに設定されている。
【００３５】
また、この記録再生装置ＲＷでは、光情報が記録された干渉縞に、記録時の入射角度に調節された参照光Ｌ２が照射されることによって光情報が再生される。そして、再生された光情報は、逆フーリエ変換レンズ３６を介してＣＣＤ等の図示しない光学読取り素子によって読み出されることとなる。
【００３６】
次に、光ディスクカートリッジＤＣの使用方法について説明する。まず、光ディスクカートリッジＤＣが記録再生装置ＲＷに装填されると、スライドシャッタ６（図１（ａ）参照）がスライドすることによって遮光カートリッジケース３の開口部５（図１（ａ）参照）が開かれる。そして、図４に示すように、センタ孔Ｈに駆動軸１９が嵌入されるとともに、駆動軸１９の回動によって光記録媒体ＯＭのバーコード１５が開口部５に臨む。このとき、バーコード読取り部１７のバーコード読取りセンサ１７ａは、バーコード１５に応じたバーコード検出信号を本体部１７ｂに出力するとともに、本体部１７ｂは、バーコード１５に記録された管理情報を取得する。
【００３７】
また、送受信部１８では、本体部１８ｂがアンテナ１８ａを介して管理情報の要求信号を発信する。その一方で、ＲＦＩＤタグ１６は、ループアンテナ１６ｃを介して要求信号を受信するとともに、この要求信号に応じて前記したＩＣチップに記録された管理情報の信号を、ループアンテナ１６ｃを介して発信する。そして、送受信部１８は、管理情報の信号を、アンテナ１８ａを介して受信するとともに、本体部１８ｂは、ＲＦＩＤタグ１６に記録された管理情報を取得する。ちなみに、バーコード読取り部１７や送受信部１８が取得した管理情報は、ＬＣＤ等の図示しないモニタに表示される。
【００３８】
そして、開口部５を介して記録光Ｌ１および参照光Ｌ２が光記録媒体ＯＭに照射されることによって前記したように光情報が記録され、そして、光情報が記録された干渉縞に参照光Ｌ２が照射されることによって前記したように光情報が再生される。
【００３９】
このような光記録媒体ＯＭおよび光ディスクカートリッジＤＣによれば次のような効果を奏する。
本発明の光記録媒体ＯＭおよび光ディスクカートリッジＤＣによれば、ユーザは、光記録媒体の管理に有用な管理情報を記録手段に記録することができるので、記録手段から読み出した管理情報に基づいて光記録媒体ＯＭを管理することができる。
また、この光記録媒体ＯＭの管理情報としては、例えば、個々の光記録媒体ＯＭの製造ロットや、光記録媒体ＯＭを構成する部品の部品ロットの製造情報、光記録媒体ＯＭの記録内容に係る情報、光記録媒体ＯＭの使用状況、光記録媒体ＯＭに記録された光情報のインデックス、光記録媒体ＯＭに対する光情報の記録再生履歴、光記録媒体ＯＭに対する光情報の記録再生の条件等を含めることができる。その結果、この光記録媒体ＯＭによれば、使用時における信頼性を高めることができるとともに、光記録媒体ＯＭに記録された光情報の管理が容易になる。
また、光記録媒体ＯＭは、バーコード１５やＲＦＩＤタグ１６のような非接触で管理情報の読取りが可能な記録手段を備えているので、記録再生装置ＲＷによって光記録媒体ＯＭが回動している際であっても容易に記録手段から管理情報を読み出すことができる。
また、光ディスクカートリッジＤＣによれば、光記録媒体ＯＭ側のＲＦＩＤタグ１６に加えて遮光カートリッジケース３側のＲＦＩＤタグ１６にも管理情報を記録することができるので、光記録媒体ＯＭの管理情報の記録容量を高めることができる。
【００４０】
以上、本発明の実施形態について説明したが、本発明は前記した実施形態に限定されることなく適宜変形して実施することが可能である。例えば、前記実施形態では、光ディスクカートリッジＤＣが記録再生装置ＲＷに装填されることによって光記録媒体ＯＭに光情報が記録されるものを例示したが、本発明は光記録媒体ＯＭ自体が単体で記録再生装置ＲＷに装填されて使用されるものであってもよい。また、光記録媒体ＯＭ自体が単体で使用されるものは、遮光袋に封入されて保存されるものであってもよく、この光記録媒体ＯＭでは、遮光袋に管理情報の記録手段が設けられていてもよい。
また、前記実施形態では、ＲＦＩＤタグ１６が光記録媒体ＯＭに貼付されているが、本発明はこれに限定されるものではなく、ＲＦＩＤタグ１６が光記録媒体ＯＭの内部に埋め込まれたものであってもよい。
また、前記実施形態では、記録手段としてバーコード１５およびＲＦＩＤタグ１６を備えるものを示したが、本発明はこれに限定されるものではなく、記録手段が記録領域１４ａおよび記録領域１４ｂの少なくともいずれかを着色し、あるいは所定の波長の光のみを通過させるフィルタを記録領域１４ａおよび記録領域１４ｂの少なくともいずれかに貼付したものであってもよい。このような光記録媒体ＯＭでは、光記録媒体ＯＭに記録すべき所定の管理情報と記録領域１４ａ，１４ｂからの光の波長とが予め関連付けられる。例えば、この関連付けとしては、記録領域１４ａ，１４ｂからの光の波長が５００〜５５０ｎｍの光記録媒体ＯＭの記録容量を１００ＧＢとし、光の波長が６００〜６５０ｎｍの光記録媒体ＯＭの記録容量を２００ＧＢとするようなものが挙げられる。このような光記録媒体ＯＭでは、光の波長を測定することによって光記録媒体ＯＭの記録容量を管理情報として取得することができる。また、このような関連付けは、記録領域１４ａ，１４ｂにおける反射光の強度の相違によって行うものであってもよい。
また、管理情報の記録は、光記録媒体ＯＭの縁部に光記録するものであってもよいし、磁気記録するものであってもよい。
【００４１】
また、前記実施形態では、ホログラフィ（干渉）を用いて光情報を記録する３次元光記録媒体について説明したが、本発明はこれに限定されるものではなく、光情報記録層に２光子吸収材料を用いたものであってもよい。この２光子吸収材料としては、２光子または多光子吸収を行うことでそれ自身が何らかの化学的、物理的変化を起こす化合物のみから成るか、２光子または多光子吸収化合物と、その２光子または多光子吸収により何らかの化学的、物理的変化が誘起される第二の化合物とから成るか、２光子または多光子吸収化合物と、該化合物の２光子または多光子吸収に誘起されて化学的、物理的変化を起こす第二の化合物の他に、さらにこれらの記録の仕組みを調整する役割の、第三の化合物を含むものを用いることができる。この２光子吸収材料としては、例えば、特開２００２−１７２８６４号公報等に記載されているものが挙げられる。
【００４２】
また、前記実施形態では、ディスク状の光記録媒体ＯＭについて説明したが、本発明はこれに限定されるものではなく、カード状のものであってもよい。
【図面の簡単な説明】
【００４３】
【図１】実施形態に係る光ディスクカートリッジの外観斜視図であり、図１（ａ）は、光ディスクカートリッジの上面側を示す図、図１（ｂ）は、光ディスクカートリッジの下面側を示す図である。
【図２】図２（ａ）は、実施形態に係る３次元光記録媒体の外観斜視図、図２（ｂ）は、図２（ａ）中のＸ部の拡大図である。
【図３】遮光カートリッジケースにＲＦＩＤタグが配置された様子を示す部分斜視図である。
【図４】光ディスクカートリッジＤＣの記録再生装置の構成を示す模式図である。
【符号の説明】
【００４４】
３      遮光カートリッジケース（カートリッジケース）
１４ａ  管理情報の記録領域
１４ｂ  管理情報の記録領域
１５    バーコード（記録手段）
１６    ＲＦＩＤタグ（記録手段）
ＤＣ    光ディスクカートリッジ
ＯＭ    ３次元光記録媒体（光記録媒体）
ＲＷ    記録再生装置
【図１】
2006318516.tif 000003
【図２】
2006318516.tif 000004
【図３】
2006318516.tif 000005
【図４】
2006318516.tif 000006